(57)【特許請求の範囲】
【請求項１】
ワイヤレス通信デバイスによるワイヤレス通信のための方法であって、
地理的ロケーション情報を受信することと、
前記地理的ロケーション情報に基づいて、誘導結合通信のためにアンテナを同調させるためのサポートを示すメッセージをリーダーデバイスに送ることと、
前記地理的ロケーション情報と対応するニアフィールド通信（ＮＦＣ）同調パラメータについて地理的ロケーション同調データベースを照会することによって変更すべき１つまたは複数のＮＦＣ同調パラメータを決定することと、
前記決定されたＮＦＣ同調パラメータに従って誘導結合通信のためにアンテナを調整することと
を備え、前記地理的ロケーション情報が、前記リーダーデバイスによって送られた非規格化メッセージ中で受信される、方法。
【請求項２】
前記地理的ロケーション情報が、全地球測位システム（ＧＰＳ）信号、ワイヤレスワイドエリアネットワーク（ＷＷＡＮ）信号、またはワイヤレスローカルエリアネットワーク（ＷＬＡＮ）信号のうちの少なくとも１つ中で受信される、請求項１に記載の方法。
【請求項３】
前記非規格化メッセージが前記リーダーデバイスの地理的ロケーション座標を含む、請求項１に記載の方法。
【請求項４】
前記非規格化メッセージは、前記リーダーデバイスの前記地理的ロケーション情報が決定される、前記リーダーデバイスに関連付けられた一意のシグネチャを含む、請求項１に記載の方法。
【請求項５】
前記非規格化メッセージが、前記リーダーデバイスにポール応答を送ったことに応答して受信され、ここにおいて、前記非規格化メッセージが、前記ポール応答によって識別されるＮＦＣ技術を使用して送られる、請求項１に記載の方法。
【請求項６】
前記非規格化メッセージが、前記リーダーデバイスからの非規格化パケットとしてパケットを識別するコマンドコードバイトと、前記地理的ロケーション情報を含む１つまたは複数のバイトと、前記識別されたＮＦＣ技術についての巡回冗長検査情報をもつ１つまたは複数のバイトとを含む前記パケットを備える、請求項５に記載の方法。
【請求項７】
前記メッセージが、前記リーダーデバイスによって送られた前記非規格化メッセージへの非規格化応答を備える、請求項１に記載の方法。
【請求項８】
前記非規格化応答が、前記ワイヤレス通信デバイスからの非規格化パケットとしてパケットを識別するコマンドコードバイトと、肯定応答（ＡＣＫ）を含む１つまたは複数のバイトと、前記識別されたＮＦＣ技術についての巡回冗長検査情報をもつ１つまたは複数のバイトとを含む前記パケットを備える、請求項７に記載の方法。
【請求項９】
前記地理的ロケーション情報が、ＧＰＳ信号と非規格化メッセージとの組合せを介して受信され、ここにおいて、前記ＧＰＳ信号が、前記地理的ロケーション情報を取得するためにデフォルトで使用され、前記非規格化メッセージは、前記ＧＰＳ信号が利用可能でない場合に前記地理的ロケーション情報を取得するために使用される、請求項１に記載の方法。
【請求項１０】
前記地理的ロケーション同調データベースを照会することが、前記地理的ロケーション情報によって示された領域についての、ターゲット受信（ＲＸ）周波数、ターゲット送信（ＴＸ）周波数、イニシエータＲＸ周波数、イニシエータＴＸ周波数、および／または負荷変調オン／オフインピーダンスのうちの少なくとも１つを受信することを備える、請求項１に記載の方法。
【請求項１１】
プロセッサと、
前記プロセッサと通信しているメモリと、
前記メモリに記憶された命令と
を備え、前記命令が、
地理的ロケーション情報を受信することと、
前記地理的ロケーション情報に基づいて、誘導結合通信のためにアンテナを同調させるためのサポートを示すメッセージをリーダーデバイスに送ることと、
前記地理的ロケーション情報と対応するニアフィールド通信（ＮＦＣ）同調パラメータについて地理的ロケーション同調データベースを照会することによって変更すべき１つまたは複数のＮＦＣ同調パラメータを決定することと、
前記決定されたＮＦＣ同調パラメータに従って誘導結合通信のためにアンテナを調整することと
を行うために前記プロセッサによって実行可能であり、前記地理的ロケーション情報が、前記リーダーデバイスによって送られた非規格化メッセージ中で受信される、ワイヤレス通信デバイス。
【請求項１２】
前記地理的ロケーション情報が、全地球測位システム（ＧＰＳ）信号、ワイヤレスワイドエリアネットワーク（ＷＷＡＮ）信号、またはワイヤレスローカルエリアネットワーク（ＷＬＡＮ）信号のうちの少なくとも１つ中で受信される、請求項１１に記載のワイヤレス通信デバイス。
【請求項１３】
前記非規格化メッセージが前記リーダーデバイスの地理的ロケーション座標を含む、請求項１１に記載のワイヤレス通信デバイス。
【請求項１４】
前記非規格化メッセージは、前記リーダーデバイスの前記地理的ロケーション情報が決定される、前記リーダーデバイスに関連付けられた一意のシグネチャを含む、請求項１１に記載のワイヤレス通信デバイス。
【請求項１５】
前記非規格化メッセージが、前記リーダーデバイスにポール応答を送ったことに応答して受信され、ここにおいて、前記非規格化メッセージが、前記ポール応答によって識別されるＮＦＣ技術を使用して送られる、請求項１１に記載のワイヤレス通信デバイス。
【請求項１６】
前記非規格化メッセージが、前記リーダーデバイスからの非規格化パケットとしてパケットを識別するコマンドコードバイトと、前記地理的ロケーション情報を含む１つまたは複数のバイトと、前記識別されたＮＦＣ技術についての巡回冗長検査情報をもつ１つまたは複数のバイトとを含む前記パケットを備える、請求項１５に記載のワイヤレス通信デバイス。
【請求項１７】
前記メッセージを送るために実行可能な前記命令が、前記リーダーデバイスによって送られた前記非規格化メッセージへの非規格化応答を送るために実行可能な命令を備える、請求項１１に記載のワイヤレス通信デバイス。
【請求項１８】
前記非規格化応答が、前記ワイヤレス通信デバイスからの非規格化パケットとしてパケットを識別するコマンドコードバイトと、肯定応答（ＡＣＫ）を含む１つまたは複数のバイトと、前記識別されたＮＦＣ技術についての巡回冗長検査情報をもつ１つまたは複数のバイトとを含む前記パケットを備える、請求項１７に記載のワイヤレス通信デバイス。
【請求項１９】
前記地理的ロケーション情報が、ＧＰＳ信号と非規格化メッセージとの組合せを介して受信され、ここにおいて、前記ＧＰＳ信号が、前記地理的ロケーション情報を取得するためにデフォルトで使用され、前記非規格化メッセージは、前記ＧＰＳ信号が利用可能でない場合に前記地理的ロケーション情報を取得するために使用される、請求項１１に記載のワイヤレス通信デバイス。
【請求項２０】
リーダーデバイスによるワイヤレス通信のための方法であって、
ワイヤレス通信デバイスに地理的ロケーション情報を含む非規格化メッセージを送ることと、
前記非規格化メッセージに基づいて、前記地理的ロケーション情報と対応するニアフィールド通信（ＮＦＣ）同調パラメータを使用して、誘導結合通信のためにアンテナを同調させるためのサポートを示すメッセージを前記ワイヤレス通信デバイスから受信することと、
前記ワイヤレス通信デバイスが前記非規格化メッセージ中に含まれる前記地理的ロケーション情報に従ってそれのアンテナを同調させることを可能にするのに十分な時間期間の間、前記リーダーデバイスの磁界をオフにすることと、
前記ワイヤレス通信デバイスとのＮＦＣトランザクションを実施するために前記時間期間の後に前記磁界をオンにすることと
を備える、方法。
【請求項２１】
前記非規格化メッセージが前記リーダーデバイスの地理的ロケーション座標を含む、請求項２０に記載の方法。
【請求項２２】
前記非規格化メッセージは、前記リーダーデバイスの前記地理的ロケーション情報が決定される、前記リーダーデバイスに関連付けられた一意のシグネチャを含む、請求項２０に記載の方法。
【請求項２３】
前記非規格化メッセージが、前記ワイヤレス通信デバイスからポール応答を受信したことに応答して送られ、ここにおいて、前記非規格化メッセージが、前記ポール応答によって識別されるＮＦＣ技術を使用して送られる、請求項２０に記載の方法。
【請求項２４】
リーダーデバイスであって、
プロセッサと、
前記プロセッサと通信しているメモリと、
前記メモリに記憶された命令と
を備え、前記命令は、
ワイヤレス通信デバイスに地理的ロケーション情報を含む非規格化メッセージを送ることと、
前記非規格化メッセージに基づいて、前記地理的ロケーション情報と対応するニアフィールド通信（ＮＦＣ）同調パラメータを使用して、誘導結合通信のためにアンテナを同調させるためのサポートを示すメッセージを前記ワイヤレス通信デバイスから受信することと、
前記ワイヤレス通信デバイスが前記非規格化メッセージ中に含まれる前記地理的ロケーション情報に従ってそれのアンテナを同調させることを可能にするのに十分な時間期間の間、前記リーダーデバイスの磁界をオフにすることと、
前記ワイヤレス通信デバイスとのＮＦＣトランザクションを実施するために前記時間期間の後に前記磁界をオンにすることと
を行うために前記プロセッサによって実行可能である、リーダーデバイス。
【請求項２５】
前記非規格化メッセージが前記リーダーデバイスの地理的ロケーション座標を含む、請求項２４に記載のリーダーデバイス。
【請求項２６】
前記非規格化メッセージは、前記リーダーデバイスの前記地理的ロケーション情報が決定される、前記リーダーデバイスに関連付けられた一意のシグネチャを含む、請求項２４に記載のリーダーデバイス。
【請求項２７】
前記非規格化メッセージが、前記ワイヤレス通信デバイスからポール応答を受信したことに応答して送られ、ここにおいて、前記非規格化メッセージが、前記ポール応答によって識別されるＮＦＣ技術を使用して送られる、請求項２４に記載のリーダーデバイス。
【発明の詳細な説明】
【技術分野】
【０００１】
関連出願
[0001]本出願は、「SYSTEMS AND METHODS FOR LOCATION-BASED TUNING」と題する２０１５年４月３日に出願された米国仮特許出願第６２／１４２，９２５号に関し、その優先権を主張する。
【０００２】
[0002]本開示は、一般にワイヤレス通信に関する。より詳細には、本開示は、ニアフィールド通信（ＮＦＣ：near-field communication）アンテナの地理的ロケーションベース同調（geographic location-based tuning）に関する。
【背景技術】
【０００３】
[0003]自宅またはオフィスにおけるワイヤレス通信環境は、概して、いくつかの独立して開発された無線アクセス技術および規格を含む。これらの技術は、当初はターゲット適用例のために設計されており、それらは、これらの適用例について比較的うまく機能する（perform）。一般的な自宅またはオフィス環境では、コンテンツ（たとえば、ウェブ、ビデオなど）へのアクセスが、住宅所有者のＩＰバックホール接続を通してブロードバンドモデムに与えられる。たとえば、モバイルサービスは、セルラーネットワークを通して、自宅またはオフィス内に位置するマクロセルまたはフェムトセルのいずれかを通して提供される。ワイヤレスローカルエリアネットワーク（ＷＬＡＮ）アクセスポイント（ＡＰ）は、８０２．１１ベースＷｉ−Ｆｉ（登録商標）技術を使用して、コンピュータと、セルフォンと、ラップトップと、プリンタと、他のワイヤレス局との間のデータ接続性を与える。
【０００４】
[0004]現在電子機器において実装されている別の通信媒体は、ニアフィールド通信（ＮＦＣ）である。電子機器におけるＮＦＣインターフェースの使用は、非接触（non-contact）集積回路カード（たとえば、無線周波数識別（ＲＦＩＤ）カード）の機能と同様の機能をポータブルデバイスに与える。さらに、ＮＦＣインターフェースを備えた電子機器は、一般に、他のＮＦＣデバイスと通信するために無線周波数（ＲＦ）リーダーおよび／またはライターとして動作することが可能である。ＮＦＣの基本態様はＲＦ範囲中の電磁波の使用であり、情報コンテンツの送信は、短い距離のみにわたって、たとえば、約数センチメートルの範囲内に実現される。
【０００５】
[0005]ワイヤレス通信デバイスは、ＮＦＣ技術を使用してリモートデバイスと通信し得る。ＮＦＣのために使用される同調パラメータは、地理的ロケーションに従って変動し得る。ＮＦＣアンテナの地理的ロケーションベース同調を実施することによって、利益が実現され得る。
【発明の概要】
【０００６】
[0006]ワイヤレス通信デバイスによるワイヤレス通信のための方法が説明される。本方法は、地理的ロケーション情報を受信することを含む。本方法はまた、地理的ロケーション情報と対応する同調パラメータ値について地理的ロケーション同調データベースを照会することを含む。本方法は、同調パラメータ値に基づいて、変更すべき１つまたは複数の同調パラメータを決定することをさらに含む。本方法は、決定された同調パラメータに従ってリーダーデバイス（reader device）との誘導結合通信（inductively coupled communication）のためにアンテナを調整することをさらに含む。
【０００７】
[0007]地理的ロケーション情報は、全地球測位システム（ＧＰＳ）信号、ワイヤレスワイドエリアネットワーク（ＷＷＡＮ）信号、またはワイヤレスローカルエリアネットワーク（ＷＬＡＮ）信号のうちの少なくとも１つ中で受信され得る。
【０００８】
[0008]地理的ロケーション情報は、リーダーデバイスによって送られた非規格化メッセージ（non-standardized message）中で受信され得る。非規格化メッセージはリーダーデバイスの地理的ロケーション座標を含み得る。非規格化メッセージは、リーダーデバイスの地理的ロケーション情報が（from which）決定される、リーダーデバイスに関連付けられた一意の（unique）シグネチャを含み得る。
【０００９】
[0009]非規格化メッセージは、リーダーデバイスにポール応答（poll response）を送ったこと（sending）に応答して受信され得る。非規格化メッセージは、ポール応答によって識別されるニアフィールド通信（ＮＦＣ）技術を使用して送られ得る。非規格化メッセージは、リーダーデバイスからの非規格化パケットとしてパケットを識別するコマンドコードバイトと、地理的ロケーション情報を含む１つまたは複数のバイトと、識別されたＮＦＣ技術についての巡回冗長検査情報（cyclic redundancy check information）をもつ（with）１つまたは複数のバイトとを含むパケットを含み得る。
【００１０】
[0010]本方法はまた、地理的ロケーション情報に基づくアンテナ同調のサポートを示す非規格化応答をリーダーデバイスに送ることを含み得る。非規格化応答は、ワイヤレス通信デバイスからの非規格化パケットとしてパケットを識別するコマンドコードバイトと、肯定応答（ＡＣＫ）応答を含む１つまたは複数のバイトと、識別されたＮＦＣ技術についての巡回冗長検査情報をもつ１つまたは複数のバイトとを含むパケットを含み得る。
【００１１】
[0011]地理的ロケーション情報は、ＧＰＳ信号と非規格化メッセージとの組合せを介して受信され得る。ＧＰＳ信号は、地理的ロケーション情報を取得するためにデフォルトで使用され得る。非規格化メッセージは、ＧＰＳ信号が利用可能でない場合に地理的ロケーション情報を取得するために使用され得る。
【００１２】
[0012]ワイヤレス通信デバイスについても説明される。本ワイヤレス通信デバイスは、プロセッサと、プロセッサと通信しているメモリと、メモリに記憶された命令とを含む。命令は、地理的ロケーション情報を受信するためにプロセッサによって実行可能である。命令はまた、地理的ロケーション情報と対応する同調パラメータ値について地理的ロケーション同調データベースを照会するために実行可能である。命令は、同調パラメータ値に基づいて、変更すべき１つまたは複数の同調パラメータを決定するためにさらに実行可能である。命令は、決定された同調パラメータに従ってリーダーデバイスとの誘導結合通信のためにアンテナを調整するためにさらに実行可能である。
【００１３】
[0013]リーダーデバイスによるワイヤレス通信のための方法についても説明される。本方法は、ワイヤレス通信デバイスに地理的ロケーション情報を含む非規格化メッセージを送ることを含む。本方法はまた、非規格化メッセージに基づいて、ワイヤレス通信デバイスが誘導結合通信のためにアンテナを同調させることをサポートするかどうかを決定することを含む。
【００１４】
[0014]非規格化メッセージはリーダーデバイスの地理的ロケーション座標を含み得る。非規格化メッセージは、リーダーデバイスの地理的ロケーション情報が決定される、リーダーデバイスに関連付けられた一意のシグネチャを含み得る。
【００１５】
[0015]非規格化メッセージは、ワイヤレス通信デバイスからポール応答を受信したことに応答して送られ得る。非規格化メッセージは、ポール応答によって識別されるＮＦＣ技術を使用して送られ得る。
【００１６】
[0016]本方法はまた、ワイヤレス通信デバイスが非規格化メッセージ中に含まれる地理的ロケーション情報に従ってそれのアンテナを同調させることを可能にするのに十分な時間期間の間、リーダーデバイスの磁界をオフにすることを含み得る。本方法は、ワイヤレス通信デバイスとのＮＦＣトランザクションを実施するために時間期間の後に磁界をオンにすることをさらに含み得る。
【００１７】
[0017]リーダーデバイスについても説明される。本リーダーデバイスは、プロセッサと、プロセッサと通信しているメモリと、メモリに記憶された命令とを含む。命令は、ワイヤレス通信デバイスに地理的ロケーション情報を含む非規格化メッセージを送るためにプロセッサによって実行可能である。命令は、非規格化メッセージに基づいて、ワイヤレス通信デバイスが誘導結合通信のためにアンテナを同調させることをサポートするかどうかを決定するために実行可能である。
【図面の簡単な説明】
【００１８】
【図１】[0018]ニアフィールド通信（ＮＦＣ）アンテナの地理的ロケーションベース同調のためのワイヤレス通信システムの一構成を示すブロック図。
【図２】[0019]ＮＦＣアンテナの地理的ロケーションベース同調のための方法を示す流れ図。
【図３】[0020]全地球測位システム（ＧＰＳ）信号中に含まれる地理的ロケーション情報に基づくＮＦＣアンテナの同調のための方法を示す流れ図。
【図４】[0021]ＮＦＣアンテナの地理的ロケーションベース同調の一例を示すシーケンス図。
【図５】[0022]地理的ロケーションベース同調のための非規格化メッセージと非規格化応答との例を示すブロック図。
【図６】[0023]非規格化メッセージ中に含まれる地理的ロケーション情報に基づくＮＦＣアンテナの同調のための方法を示す流れ図。
【図７】[0024]非規格化メッセージ中に含まれる地理的ロケーション情報に基づくＮＦＣアンテナの同調のための別の方法を示す流れ図。
【図８】[0025]ＮＦＣシステムを示すブロック図。
【図９】[0026]トランシーバとリモートユニットとを含むＮＦＣシステムの例示的な概略図を示すブロック図。
【図１０】[0027]ワイヤレス通信デバイス内に含まれ得るいくつかの構成要素を示す図。
【図１１】[0028]リーダーデバイス内に含まれ得るいくつかの構成要素を示す図。
【発明を実施するための形態】
【００１９】
[0029]ワイヤレス通信デバイスは、リーダーデバイスとのニアフィールド通信（ＮＦＣ）動作を実施し得る。ワイヤレス通信デバイスは、リーダーデバイスと通信するためにいくつかのＮＦＣ同調パラメータを使用し得る。しかしながら、リーダーデバイスによって使用される同調パラメータは、地理的ロケーションごとに（one geographic location to another）変動し得る。ワイヤレス通信デバイスのＮＦＣアンテナがある地理的ロケーションのために同調させられる場合、別の地理的ロケーション中のＮＦＣ動作は最適に機能しないことがある。
【００２０】
[0030]これらの問題に対処するために、ワイヤレス通信デバイスは、地理的ロケーションベース同調を実施し得る。ワイヤレス通信デバイスは地理的ロケーション情報を受信し得る。一実装形態では、地理的ロケーション情報は、ブロードキャスト信号（たとえば、全地球測位システム（ＧＰＳ）信号、ワイヤレスワイドエリアネットワーク（ＷＷＡＮ）信号、またはワイヤレスローカルエリアネットワーク（ＷＬＡＮ）信号）中で受信され得る。別の実装形態では、地理的ロケーション情報は、リーダーデバイスによって送られた非規格化メッセージ中で受信される。ワイヤレス通信デバイスは、次いで、受信された地理的ロケーション情報に基づいてそれのＮＦＣアンテナを同調させ得る。
【００２１】
[0031]添付の図面に関して以下に記載される発明を実施するための形態は、本開示の例示的な実装形態を説明するものであり、本開示が実施され得る実装形態のみを表すものではない。この説明全体にわたって使用される「例示的」という用語は、「例、事例、または例示の働きをすること」を意味し、必ずしも他の例示的な実装形態よりも好ましいまたは有利であると解釈されるべきではない。発明を実施するための形態は、本開示の例示的な実装形態の完全な理解を与えるための具体的な詳細を含む。いくつかの事例では、いくつかのデバイスがブロック図の形式で示される。
【００２２】
[0032]説明を簡単にするために、方法が一連の行為として図示および説明されるが、いくつかの行為は、１つまたは複数の態様によれば、本明細書で図示および説明された順序とは異なる順序で、および／または他の行為と同時に行われ得るので、方法は行為の順序によって限定されないことを理解し、諒解されたい。たとえば、方法は、状態図など、一連の相互に関係する状態または事象として代替的に表現され得ることを、当業者は理解し、諒解するであろう。さらに、１つまたは複数の態様による方法を実装するために、示されたすべての行為が必要とされるとは限らない。
【００２３】
[0033]次に、図を参照しながら様々な構成が説明される。同様の参照番号は機能的に同様の要素を示し得る。本明細書で概して説明され、図に示されるシステムおよび方法は、多種多様な異なる構成で構成および設計され得る。したがって、図に表されるいくつかの構成の以下のより詳細な説明は、請求される範囲を限定するものではなく、システムおよび方法を代表するものにすぎない。
【００２４】
[0034]図１は、ニアフィールド通信（ＮＦＣ）アンテナ１２０の地理的ロケーションベース同調のためのワイヤレス通信システム１００の一構成を示すブロック図である。ワイヤレス通信システム１００は、リーダーデバイス１０４と通信しているワイヤレス通信デバイス１０２を含み得る。一構成では、ワイヤレス通信デバイス１０２とリーダーデバイス１０４とは、誘導結合通信を使用して通信し得る。
【００２５】
[0035]誘導結合通信の一実装形態では、ワイヤレス通信デバイス１０２およびリーダーデバイス１０４はニアフィールド通信（ＮＦＣ）を使用し得る。ＮＦＣのコンテキストでは、通信している２つのデバイス、すなわち、イニシエータとターゲットとがある。たとえば、ワイヤレス通信デバイス１０２はターゲットＮＦＣデバイスであり得、リーダーデバイス１０４はイニシエータＮＦＣデバイスであり得る。
【００２６】
[0036]イニシエータＮＦＣデバイスのアンテナ１２０は、ターゲットＮＦＣデバイスのアンテナによって受信される（磁界または電磁界とも呼ばれる）放射界を生成する。イニシエータＮＦＣデバイスは、ポーラ、ポーリングデバイス、リーダーまたはイニシエータと呼ばれることもある。ターゲットＮＦＣデバイスは、リスナー、リスニングデバイス、タグまたはターゲットと呼ばれることもある。
【００２７】
[0037]ワイヤレス通信デバイス１０２およびリーダーデバイス１０４は、互いに通信するために１つまたは複数のＮＦＣシグナリング技術を使用し得る。ＮＦＣシグナリング技術は、ＮＦＣタイプ−Ａと、ＮＦＣタイプ−Ｂと、ＮＦＣタイプ−Ｆとを含み得る。ＮＦＣシグナリング技術は、採用される変調方式が異なる。
【００２８】
[0038]ＮＦＣは、ＮＦＣシグナリング技術のサブセットをサポートする４つの異なるタグタイプを有する。タイプ１タグ（Ｔ１Ｔ）は、データ衝突保護がないＮＦＣタイプ−Ａ通信を使用する。タイプ２タグ（Ｔ２Ｔ）は、衝突防止があるＮＦＣタイプ−Ｂ通信を使用する。タイプ３タグ（Ｔ３Ｔ）は、衝突防止があるＮＦＣタイプ−Ｆを使用する。タイプ４タグ（Ｔ４Ｔ）は、ＮＦＣタイプ−Ａ（Ｔ４ＡＴ）、または衝突防止があるＮＦＣタイプ−Ｂ（Ｔ４ＢＴ）のいずれかを使用することができる。
【００２９】
[0039]一構成では、ワイヤレス通信デバイス１０２およびリーダーデバイス１０４は、フレームＲＦインターフェース、ＩＳＯ−データ交換プロトコル（ＤＥＰ：data exchange protocol）ＲＦインターフェースおよびＮＦＣ−ＤＥＰ  ＲＦインターフェースなど、様々なインターフェースを通してＮＦＣを使用して通信するように動作可能であり得る。別の構成では、ワイヤレス通信デバイス１０２およびリーダーデバイス１０４は、論理リンク制御プロトコル（ＬＬＣＰ）を通して定義されるリンクレイヤ接続を用いてＮＦＣ−ＤＥＰ  ＲＦプロトコルベース通信リンクを確立し得る。さらに別の構成では、ワイヤレス通信デバイス１０２およびリーダーデバイス１０４は、アクセスネットワークおよび／またはコアネットワーク（たとえば、ＣＤＭＡネットワーク、ＧＰＲＳネットワーク、ＵＭＴＳネットワーク、ならびに他のタイプのワイヤラインおよびワイヤレス通信ネットワーク）に接続されるように動作可能であり得る。
【００３０】
[0040]リーダーデバイス１０４は、近くのＮＦＣデバイスにポーリングし得る。ワイヤレス通信デバイス１０２は、それがリーダーデバイス１０４の数センチメートル内に来たとき、リッスンし始め得る。一例では、ユーザは、支払トランザクションを開始するために、ワイヤレス通信デバイス１０２をリーダーデバイス１０４の近傍に配置し得る。リーダーデバイス１０４は、次いで、どのシグナリング技術が使用され得るかを決定するために、ワイヤレス通信デバイス１０２と通信することになる。
【００３１】
[0041]リーダーデバイス１０４は、ワイヤレス通信デバイス１０２と通信するためにＲＦ電界を生成し得る。リーダーデバイス１０４は、ワイヤレス通信デバイス１０２に信号（たとえば、データ）を送るためにＲＦ電界を変調し得る。ワイヤレス通信デバイス１０２がその信号を受信すると、リーダーデバイス１０４は、ＲＦ電界を維持するために持続波（continuous wave）を送信し得る。ＮＦＣ動作では、ワイヤレス通信デバイス１０２はＲＦ電界を受信し得る。ワイヤレス通信デバイス１０２は、持続波の上で（on top of）変調を実施することによって応答し得る。リーダーデバイス１０４は被変調信号を受信し得、それを復号することを試み得る。
【００３２】
[0042]ワイヤレス通信デバイス１０２は、ＮＦＣ動作のためのＮＦＣアンテナ１２０ａと整合ネットワーク１１８とを含み得る。一実装形態では、ＮＦＣアンテナ１２０ａはコイルアンテナまたはループアンテナであり得る。ワイヤレス通信デバイス１０２は、ＮＦＣ信号を送ることまたは受信することによって、リーダーデバイス１０４と通信し得る。リーダーデバイス１０４はＮＦＣアンテナ１２０ｂを含み得る。
【００３３】
[0043]ＮＦＣアンテナ同調は、少なくとも１つまたは複数のＮＦＣ同調パラメータ１１６の最適化を指す。ＮＦＣ同調パラメータ１１６は、ターゲット受信（ＲＸ）周波数と、ターゲット送信（ＴＸ）周波数と、イニシエータＲＸ周波数と、イニシエータＴＸ周波数と、負荷変調オン／オフインピーダンスとを含み得る。一例では、イニシエータＴＸ周波数は、あるキャリア周波数において動作し得る。ＮＦＣの場合、キャリア周波数は１３．５６メガヘルツ（ＭＨｚ）であり得る。ワイヤレス通信デバイス１０２は、アンテナ共振（antenna resonance）を調整することによってＮＦＣアンテナ１２０ａを同調させ、それにより、１つまたは複数のＮＦＣ同調パラメータ１１６を変更しする。
【００３４】
[0044]一実装形態では、アンテナ同調は、整合ネットワーク１１８の１つまたは複数の構成要素を調整することによって実施され得る。たとえば、オンボード整合構成要素（たとえば、キャパシタ、インダクタおよび抵抗器）は、ＮＦＣ同調パラメータ１１６のうちの１つまたは複数に従って調整され得る。さらに、整合は、ＮＦＣチップ内（inside）のキャパシタバンク（capacitor bank）を使用してさらに微調整され得る。このキャパシタバンクはソフトウェア制御され得る。
【００３５】
[0045]１つの手法では、ＮＦＣアンテナ同調は、ワイヤレス通信デバイス１０２の開発段階中に実施される。たとえば、整合ネットワーク１１８およびＮＦＣアンテナ１２０ａは、ワイヤレス通信デバイス１０２の製造中に同調させられ得る。この手法の場合、ワイヤレス通信デバイス１０２が市場に出荷されると、ＮＦＣアンテナ同調は困難であり得、ハードウェア、ソフトウェアまたはその両方の変更を必要とし得る。
【００３６】
[0046]単一の（たとえば、固定）同調構成に限定されることは、いくつかの制限を有する。単一の同調構成は、世界中のリーダーデバイス１０４とともに動作するのに十分でないことがある。これは、異なる領域について異なる在庫管理単位（ＳＫＵ：stock keeping unit）を生じ得る。たとえば、欧州のためにあるアンテナ同調構成があり、アジア（たとえば、中国）のために別のアンテナ同調構成があり得る。
【００３７】
[0047]さらに、異なる周波数および変動する電力レベルを用いて動作する世界中の異なるリーダーデバイス１０４に適合するために、ワイヤレス通信デバイス１０２のＮＦＣアンテナ１２０ａ（およびフェライト）のサイズは増加する傾向がある。さらに、リーダーデバイス１０４のプロファイルまたはタイプに基づいてＮＦＣアンテナ１２０ａを動的に同調させるための手段がない。
【００３８】
[0048]固定同調構成に関連付けられた問題に対処するために、ワイヤレス通信デバイス１０２は、地理的ロケーションベースＮＦＣ同調を実施し得る。本明細書で説明されるシステムおよび方法によれば、ＮＦＣアンテナ１２０ａは、リーダーデバイス１０４の地理的ロケーション、ワイヤレス通信デバイス１０２のロケーションまたはその両方に基づいて動的に同調させられ得る。
【００３９】
[0049]第１の手法では、ＮＦＣアンテナ１２０ａは、ブロードキャスト信号１０６中で地理的ロケーション情報１０８ａを受信したことに基づいて同調させられ得る。この手法では、ワイヤレス通信デバイス１０２はブロードキャスト信号１０６を受信し得る。ブロードキャスト信号１０６は、地理的ロケーション情報１０８ａを含む、全地球測位システム（ＧＰＳ）信号、ワイヤレスワイドエリアネットワーク（ＷＷＡＮ）信号、またはワイヤレスローカルエリアネットワーク（ＷＬＡＮ）信号のうちの１つまたは複数であり得る。
【００４０】
[0050]一例では、ＧＰＳ信号は、特定の地理的ロケーションについての座標（たとえば、緯度および経度）を与える。ワイヤレス通信デバイス１０２はＧＰＳ信号を受信し、それの地理的ロケーションを決定し得る。同様に、ＷＷＡＮ信号またはＷＬＡＮ信号は地理的座標の形式で地理的ロケーション情報１０８ａを与え得る。
【００４１】
[0051]地理的ロケーション情報１０８ａに基づいて、ＮＦＣ同調パラメータ１１６は、それに応じて変更され得る。一実装形態では、ワイヤレス通信デバイス１０２は、関連するＮＦＣ同調パラメータ１１６に地理的ロケーションをマッピングする地理的ロケーション同調データベース１１４を含み得る。一実装形態では、地理的ロケーション同調データベース１１４は地理的ロケーションを領域に編成し得る。領域は、ＮＦＣ同調パラメータ１１６についての特定の値に関連付けられ得る。したがって、地理的ロケーション同調データベース１１４は、地理的ロケーション情報１０８によって識別される領域についての同調パラメータ値を返し得る。
【００４２】
[0052]地理的ロケーション同調データベース１１４は、特定の領域中で適用され得るＮＦＣ同調パラメータ１１６についての値を与え得る。ワイヤレス通信デバイス１０２が現在位置する領域は、地理的ロケーション情報１０８から決定され得る。ワイヤレス通信デバイス１０２が特定の領域内にあることを地理的ロケーション情報１０８が示す場合、地理的ロケーション同調データベース１１４は、その領域のために適用すべきＮＦＣ同調パラメータ１１６についての値を与え得る。たとえば、地理的ロケーション同調データベース１１４は、地理的ロケーション情報１０８によって示された領域中で使用されるターゲット受信（ＲＸ）周波数、ターゲット送信（ＴＸ）周波数、イニシエータＲＸ周波数、イニシエータＴＸ周波数および／または負荷変調オン／オフインピーダンスのうちの１つまたは複数についての値を与え得る。
【００４３】
[0053]各領域のためのＮＦＣ同調パラメータ１１６は、開発中にワイヤレス通信デバイス１０２のソフトウェア（たとえば、地理的ロケーション同調データベース１１４）中にハードコーディングされ得る。さらに、地理的ロケーション同調データベース１１４はソフトウェアアップデートを介して更新され得る。したがって、地理的ロケーション同調データベース１１４は、特定の領域中で遭遇される可能性が最も高いリーダーデバイス１０４のために最適化された同調を与えるために更新され得る。
【００４４】
[0054]ワイヤレス通信デバイス１０２は、ブロードキャスト信号１０６中で受信された地理的ロケーション情報１０８ａに基づいてＮＦＣ同調パラメータ１１６を決定するブロードキャストロケーション同調モジュール１１０を含み得る。たとえば、ブロードキャストロケーション同調モジュール１１０は、ブロードキャスト信号１０６中に含まれる地理的ロケーション情報１０８ａと対応する同調パラメータ値について地理的ロケーション同調データベース１１４を照会することによって、変更すべき１つまたは複数のＮＦＣ同調パラメータ１１６を決定し得る。
【００４５】
[0055]一例では、ある人がアメリカ合衆国から中国に旅行する場合、ユーザが中国に到着すると、ワイヤレス通信デバイス１０２上の地理的ロケーションはＧＰＳを通して更新される。修正された地理的ロケーションはＮＦＣエンジン（たとえば、ブロードキャストロケーション同調モジュール１１０）に供給され、ＮＦＣエンジンは、次いでＮＦＣ同調パラメータ１１６を調整する。同じく、ユーザが英国に旅行するとき、ワイヤレス通信デバイス１０２上の地理的ロケーションはＧＰＳを通して更新され、ＮＦＣ同調パラメータ１１６は、それに応じて更新される。
【００４６】
[0056]ワイヤレス通信デバイス１０２は、ＮＦＣ同調パラメータ１１６を調整することによってＮＦＣアンテナ１２０ａを同調させ得る。これは、整合ネットワーク１１８の共振、またはＮＦＣチップの共振、またはその両方の共振を変更することによって達成され得る。たとえば、ワイヤレス通信デバイス１０２は、ＮＦＣアンテナ１２０ａの共振を変更するために整合ネットワーク１１８におけるキャパシタバンク中の１つまたは複数のキャパシタを調整し得る。
【００４７】
[0057]別の手法では、アンテナ同調は、リーダーデバイス１０４から送られた非規格化メッセージ１２６によって与えられる地理的ロケーション情報１０８に基づき得る。一実装形態では、非規格化メッセージ１２６はプロプライエタリ（proprietary）メッセージであり得る。本明細書で使用される「プロプライエタリ」という用語は、固有、排他的、特殊、非標準、アドホックおよび／またはあらかじめ定義された適用例を含む。プロプライエタリメッセージは、リーダーデバイス１０４および／またはワイヤレス通信デバイス１０２の製造業者または事業者に固有である設計またはフォーマットを有するメッセージであり得る。
【００４８】
[0058]非規格化メッセージ１２６は、無線アクセス規格（たとえば、ＮＦＣ規格）に従わないフォーマットおよび／または情報を有し得る。非規格化メッセージ１２６は、地理的ロケーション情報１０８を伝達するために使用される特殊なメッセージであり得る。たとえば、非規格化メッセージ１２６は、リーダーデバイス１０４および／またはワイヤレス通信デバイス１０２の製造業者または事業者に固有であるフォーマットを有し得る。
【００４９】
[0059]リーダーデバイス１０４はロケーションメッセージングモジュール１２２を含み得る。ＮＦＣで構成されたワイヤレス通信デバイス１０２とリーダーデバイス１０４との間でトランザクションが実施されるとき、非規格化メッセージ１２６は、地理的ロケーション情報１０８を送るためにリーダーデバイス１０４によって使用され得る。ロケーションメッセージングモジュール１２２は、リーダーデバイス１０４に関連付けられた地理的ロケーション情報１０８ｂをもつ非規格化メッセージ１２６を生成し得る。
【００５０】
[0060]一実装形態では、非規格化メッセージ１２６はリーダーデバイス１０４のロケーション座標を含み得る。たとえば、ある人が、米国から中国に旅行することがある。中国に到着すると、ユーザは、リーダーデバイス１０４（たとえば、ＰＯＳ端末）と通信することを試み得る。リーダーデバイス１０４は、非規格化メッセージ１２６を使用してワイヤレス通信デバイス１０２にロケーション座標を転送し得る。ロケーションに基づいて、ワイヤレス通信デバイス１０２は、それのＮＦＣ同調パラメータ１１６を変更することができる。
【００５１】
[0061]別の実装形態では、非規格化メッセージ１２６は、リーダーデバイス１０４に関連付けられた一意のシグネチャを含み得る。リーダーデバイス１０４の地理的ロケーション情報１０８は一意のシグネチャに基づいて決定され得る。たとえば、各リーダータイプは、非規格化メッセージ１２６中で送られる一意のシグネチャを有することができる。地理的ロケーション同調データベース１１４（または別のデータベース）は、リーダーデバイス１０４の一意のシグネチャを地理的ロケーションにマッピングし得る。
【００５２】
[0062]ワイヤレス通信デバイス１０２は非規格化メッセージ同調モジュール１１２を含み得る。非規格化メッセージ１２６中に含まれる地理的ロケーション情報１０８ｂは、ＮＦＣ同調パラメータ１１６を変更するために非規格化メッセージ同調モジュール１１２によって使用され得る。遭遇されるリーダーのタイプに基づいて、ＮＦＣ同調パラメータ１１６は動的に変化することができる。
【００５３】
[0063]リーダーデバイス１０４は、ＮＦＣ対応ワイヤレス通信デバイス１０２とのタイプＡまたはＢまたはＦトランザクションを実施し得る。リーダーデバイス１０４によってサポートされる技術タイプに基づいて、リーダーデバイス１０４は１つまたは複数のポールコマンドを送り得る。ＮＦＣタイプ−Ａの場合、リーダーデバイス１０４はＳＥＮＳ＿ＲＥＱポールコマンドを送り得る。ＮＦＣタイプ−Ｂの場合、リーダーデバイス１０４はＳＥＮＳＢ＿ＲＥＱポールコマンドを送り得る。ＮＦＣタイプ−Ｆの場合、リーダーデバイス１０４はＳＥＮＳＦ＿ＲＥＱポールコマンドを送り得る。
【００５４】
[0064]ワイヤレス通信デバイス１０２が有効なポール応答を送る場合、リーダーデバイス１０４は、ポール応答によって識別される同じＮＦＣ技術を使用して非規格化メッセージ１２６を送り得る。非規格化メッセージ１２６は、リーダーデバイス１０４のための地理的ロケーション情報１０８ｂを含む非規格化パケットであり得る。非規格化メッセージ１２６は、図５に関してより詳細に説明される。
【００５５】
[0065]ワイヤレス通信デバイス１０２が非規格化メッセージ交換をサポートする場合、ワイヤレス通信デバイス１０２は、非規格化メッセージ１２６に基づく同調のサポートを示す有効な非規格化応答１２８をリーダーデバイス１０４に送り得る。本明細書で使用される、非規格化応答は非規格化応答であり得る。非規格化応答は、無線アクセス規格（たとえば、ＮＦＣ規格）に従わないフォーマットおよび／または情報を有し得る。
【００５６】
[0066]ワイヤレス通信デバイス１０２は、次いで、非規格化メッセージ１２６中で交換される地理的ロケーション情報１０８ｂに基づいて、それのＮＦＣアンテナ１２０ａを同調させ得る。これは、上記で説明されたように達成され得る。たとえば、ワイヤレス通信デバイス１０２は、地理的ロケーション情報１０８ｂと対応する同調パラメータ値について地理的ロケーション同調データベース１１４を照会すること（querying）によって、変更すべき１つまたは複数のＮＦＣ同調パラメータ１１６を決定し得る。
【００５７】
[0067]リーダーデバイス１０４は、調整された同調を使用する通信のためにワイヤレス通信デバイス１０２をリセットするために、それの磁界をオフにし、もう一度オンにし得る。リーダーデバイス１０４は、リセット期間１２４の間磁界をオフにし得る。リセット期間１２４は、ワイヤレス通信デバイス１０２が、非規格化メッセージ１２６中に含まれる地理的ロケーション情報１０８ｂに従ってそれのＮＦＣアンテナ１２０ａを同調させることを可能にするのに十分な時間量であり得る。
【００５８】
[0068]一例では、リセット期間１２４は１０ミリ秒（ｍｓ）であり得る。この場合、リーダーデバイス１０４は、ワイヤレス通信デバイス１０２のための１０ｍｓのウィンドウが非規格化メッセージ１２６に応答することを可能にし得る。このタイプの非規格化データ交換をサポートしないデバイスがミュートになり、非規格化メッセージ１２６に対する応答を送ることを控えることになることに留意されたい。デバイスが非規格化データ交換をサポートしない場合、リーダーデバイス１０４は、リセット期間１２４の後にタイムアウトすることになる。
【００５９】
[0069]リセット期間１２４の後に、リーダーデバイス１０４は、ワイヤレス通信デバイス１０２とのＮＦＣトランザクションを実施するために磁界をオンにし得る。一実装形態では、リーダーデバイス１０４は、ワイヤレス通信デバイス１０２が、非規格化メッセージ１２６に基づいてＮＦＣアンテナ１２０ａを同調させることをサポートするかどうかを決定し得る。ワイヤレス通信デバイス１０２が非規格化メッセージ１２６に基づく同調をサポートする場合、ワイヤレス通信デバイス１０２は有効な非規格化応答１２８を送り得る。しかしながら、非規格化データ交換をサポートしないデバイスの場合、リーダーデバイス１０４はタイムアウトし得る。リーダーデバイス１０４は、タイムアウトの後に、または有効な非規格化応答１２８を受信すると、のどちらが最初に起こったとしても、ＮＦＣトランザクションを実施し得る。
【００６０】
[0070]非規格化メッセージ１２６中で地理的ロケーション情報１０８ｂを与えることによって、リーダーデバイス１０４は、地理的ロケーションベース同調のためにワイヤレス通信デバイス１０２に送られる情報の量を最小限に抑え得る。リーダーデバイス１０４は地理的ロケーション情報１０８ｂを送り得、ワイヤレス通信デバイス１０２は、適用すべきＮＦＣ同調パラメータ１１６を決定し得る。したがって、リーダーデバイス１０４は、詳細なＮＦＣ同調パラメータ１１６自体ではなく、地理的ロケーション情報１０８ｂを含む非規格化メッセージ１２６中で小さいペイロードを送り得る。これは非規格化メッセージ交換を簡略化し得、それにより、リーダーデバイス１０４とワイヤレス通信デバイス１０２との間のより効率的でより速いＮＦＣリンク確立が生じ得る。
【００６１】
[0071]ＧＰＳによって与えられるブロードキャスト地理的ロケーション情報１０８ａに基づく同調は、概して、同調のより信頼できる方法であり得る。これは、同調がある限界を越えてオフである場合、非規格化パケットの交換が信頼できないことがあるので、したがって、非規格化メッセージ１２６中の地理的ロケーション情報１０８ｂを共有することが困難になり得る。しかしながら、特に、ワイヤレス通信デバイス１０２が低バッテリーモードにあり、ＧＰＳ能力がワイヤレス通信デバイス１０２上で利用可能でないとき、非規格化メッセージ１２６によって与えられる地理的ロケーション情報１０８ｂに基づく同調が有益であり得るので、両方の手法が展開され得る。
【００６２】
[0072]一実装形態では、地理的ロケーション情報１０８は、ＧＰＳ信号と非規格化メッセージ１２６との組合せを介して受信され得る。たとえば、フルバッテリーモードでは、ＮＦＣアンテナ同調は、デフォルトでＧＰＳによって与えられるブロードキャスト地理的ロケーション情報１０８ａに基づき得る。ＧＰＳがオフであるか、またはＧＰＳ能力が利用可能でない場合、ワイヤレス通信デバイス１０２は、それがリーダーデバイス１０４の磁界に入ったとき、非規格化メッセージ交換を介して地理的ロケーション情報１０８ｂを取得し得る。同調がＧＰＳを介してすでに行われた場合、ワイヤレス通信デバイス１０２は、非規格化メッセージ１２６に肯定応答することを決定し得るが、リーダーデバイス１０４によって送られた地理的ロケーション情報１０８ｂを無視し得る。
【００６３】
[0073]説明されるシステムおよび方法は複数の利益を提供する。ワイヤレス通信デバイス１０２は、ワイヤレス通信デバイス１０２が動作している地理的ロケーションに基づいて、それのＮＦＣアンテナ１２０ａを動的に同調させ得る。これは、ワイヤレス通信デバイス１０２とリーダーデバイス１０４との間のＮＦＣトランザクションの成功を改善し得、それは、より良いユーザエクスペリエンスが生じ得る。さらに、リーダーデバイス１０４は、地理的ロケーションベース同調を可能にするために地理的ロケーション情報１０８ｂを与え得る。さらに、本明細書で説明されるシステムおよび方法は後方互換性があり、非規格化データ交換をサポートするＮＦＣ対応ワイヤレス通信デバイス１０２、および非規格化データ交換をサポートしないワイヤレス通信デバイス１０２とともに動作する（work）ことになる。
【００６４】
[0074]図２は、ＮＦＣアンテナ１２０ａの地理的ロケーションベース同調のための方法２００を示す流れ図である。方法２００はワイヤレス通信デバイス１０２によって実施され得る。ワイヤレス通信デバイス１０２はＮＦＣ回路で構成され得る。ＮＦＣ回路は、ＮＦＣコントローラおよびＮＦＣアンテナ回路（たとえば、ＮＦＣアンテナ１２０ａおよび整合ネットワーク１１８）を含み得る。
【００６５】
[0075]ワイヤレス通信デバイス１０２は、２０２において、地理的ロケーション情報１０８を受信する。１つの手法では、ワイヤレス通信デバイス１０２は、２０２において、ブロードキャスト信号１０６中で地理的ロケーション情報１０８を受信し得る。一実装形態では、ブロードキャスト信号１０６は、ＧＰＳ信号、ＷＷＡＮ信号、またはＷＬＡＮ信号のうちの少なくとも１つであり得る。
【００６６】
[0076]別の手法では、ワイヤレス通信デバイス１０２は、２０２において、リーダーデバイス１０４によって送られた非規格化メッセージ１２６中で地理的ロケーション情報１０８を受信し得る。たとえば、ワイヤレス通信デバイス１０２がリーダーデバイス１０４の磁界に入ったとき、リーダーデバイス１０４はＮＦＣポーリングプロシージャを開始し得る。リーダーデバイス１０４からポールコマンドを受信したことに応答して、ワイヤレス通信デバイス１０２はポール応答を送り得る。ポール応答を受信すると、リーダーデバイス１０４は、地理的ロケーション情報１０８を含む非規格化メッセージ１２６を送り得る。
【００６７】
[0077]非規格化メッセージ１２６は、リーダーデバイス１０４の地理的ロケーションが決定され得る、リーダーデバイス１０４に関連付けられた一意のシグネチャ、または、リーダーデバイス１０４の地理的ロケーション座標を含み得る。
【００６８】
[0078]ワイヤレス通信デバイス１０２は、２０４において、地理的ロケーション情報１０８に基づいて、変更すべき１つまたは複数の同調パラメータ１１６を決定する。たとえば、ワイヤレス通信デバイス１０２は、地理的ロケーション情報１０８と対応する同調パラメータ値について地理的ロケーション同調データベース１１４を照会し得る。地理的ロケーション同調データベース１１４は、特定の地理的ロケーションに関連付けられたＮＦＣ同調パラメータ１１６を与え得る。ＮＦＣ同調パラメータ１１６は、ターゲット受信（ＲＸ）周波数と、ターゲット送信（ＴＸ）周波数と、イニシエータＲＸ周波数と、イニシエータＴＸ周波数と、負荷変調オン／オフインピーダンスとを含み得る。
【００６９】
[0079]ワイヤレス通信デバイス１０２は、２０６において、決定された同調パラメータ１１６に従ってＮＦＣアンテナ１２０ａを調整する。ＮＦＣアンテナ１２０ａ同調は、整合（matching）ネットワーク１１８の共振を変更することによって実施され得る。これは、整合ネットワーク１１８の１つまたは複数の構成要素を調整することによって達成され得る。一実装形態では、ワイヤレス通信デバイス１０２は、決定された同調パラメータ１１６によって示された値を達成するために、整合ネットワーク１１８におけるキャパシタバンク中の１つまたは複数のキャパシタを調整し得る。
【００７０】
[0080]図３は、ＧＰＳ信号中に含まれる地理的ロケーション情報に基づくＮＦＣアンテナ１２０ａの同調のための方法３００を示す流れ図である。方法３００はワイヤレス通信デバイス１０２によって実施され得る。ワイヤレス通信デバイス１０２はＮＦＣ回路で構成され得る。ＮＦＣ回路は、ＮＦＣコントローラおよびＮＦＣアンテナ回路（たとえば、ＮＦＣアンテナ１２０ａおよび整合ネットワーク１１８）を含み得る。
【００７１】
[0081]ワイヤレス通信デバイス１０２は、３０２において、ＧＰＳ信号中でブロードキャストされた地理的ロケーション情報１０８を受信する。ＧＰＳ信号の地理的ロケーション情報１０８は、ワイヤレス通信デバイス１０２の現在ロケーションについての座標の形式であり得る。
【００７２】
[0082]ワイヤレス通信デバイス１０２は、３０４において、地理的ロケーション情報１０８と対応する同調パラメータ値について地理的ロケーション同調データベース１１４を照会する。地理的ロケーション同調データベース１１４は、特定の領域中で適用され得るＮＦＣ同調パラメータ１１６についての値を与え得る。
【００７３】
[0083]ワイヤレス通信デバイス１０２は、３０６において、地理的ロケーション同調データベース１１４照会に基づいて、変更すべき１つまたは複数の同調パラメータ１１６を決定する。たとえば、地理的ロケーション同調データベース１１４は、入力された地理的ロケーション情報１０８に基づいて、変更され得る１つまたは複数のＮＦＣ同調パラメータ１１６を出力し得る。
【００７４】
[0084]ワイヤレス通信デバイス１０２は、３０８において、決定されたＮＦＣ同調パラメータ１１６に従ってＮＦＣアンテナ１２０ａを調整する。ＮＦＣアンテナ１２０ａ同調は、整合ネットワーク１１８の共振を変更することによって実施され得る。これは、整合ネットワーク１１８の１つまたは複数の構成要素を調整することによって達成され得る。
【００７５】
[0085]図４は、ＮＦＣアンテナ１２０ａの地理的ロケーションベース同調の一例を示すシーケンス図である。ワイヤレス通信デバイス４０２およびリーダーデバイス４０４はＮＦＣ回路で構成され得る。ＮＦＣ回路は、ＮＦＣコントローラおよびＮＦＣアンテナ回路（たとえば、ＮＦＣアンテナ１２０ａおよび整合ネットワーク１１８）を含み得る。この例では、ワイヤレス通信デバイス１０２は、リーダーデバイス４０４から受信された非規格化メッセージ１２６に基づいてそれのＮＦＣアンテナ１２０ａを同調させ得る。
【００７６】
[0086]ワイヤレス通信デバイス４０２はリーダーデバイス４０４の磁界に入り得る。ワイヤレス通信デバイス４０２がそれの磁界に入ったことを検知する（sensing）と、リーダーデバイス４０４は、４０１において、ポールコマンドを送り得る。ＮＦＣタイプ−Ａの場合、リーダーデバイス４０４は、４０１において、ＳＥＮＳ＿ＲＥＱポールコマンドを送り得る。ＮＦＣタイプ−Ｂの場合、リーダーデバイス４０４は、４０１において、ＳＥＮＳＢ＿ＲＥＱポールコマンドを送り得る。ＮＦＣタイプ−Ｆの場合、リーダーデバイス４０４は、４０１において、ＳＥＮＳＦ＿ＲＥＱポールコマンドを送り得る。
【００７７】
[0087]ポールコマンドを受信すると、ワイヤレス通信デバイス４０２は、４０３において、ポール応答を送り得る。ＮＦＣタイプ−Ａの場合、ワイヤレス通信デバイス４０２は、４０３において、ＳＥＮＳ＿ＲＥＳポール応答を送り得る。ＮＦＣタイプ−Ｂの場合、ワイヤレス通信デバイス４０２は、４０３において、ＳＥＮＳＢ＿ＲＥＳポール応答を送り得る。ＮＦＣタイプ−Ｆの場合、ワイヤレス通信デバイス４０２は、４０３において、ＳＥＮＳＦ＿ＲＥＳポール応答を送り得る。
【００７８】
[0088]有効なポール応答を受信すると、リーダーデバイス４０４は、４０５において、非規格化メッセージ１２６を送り得る。たとえば、リーダーデバイス４０４は、４０５において、ポール応答によって識別される同じＮＦＣ技術を使用して非規格化メッセージ１２６を送り得る。非規格化メッセージ１２６は、リーダーデバイス４０４のための地理的ロケーション情報１０８を含む非規格化パケットであり得る。非規格化メッセージ１２６は、図５に関してより詳細に説明される。
【００７９】
[0089]ワイヤレス通信デバイス４０２は、４０７において、非規格化メッセージ１２６に基づく同調のサポートを示す非規格化応答１２８をリーダーデバイス４０４に送り得る。ワイヤレス通信デバイス４０２は、次いで、４０９において、非規格化メッセージ１２６中に含まれる地理的ロケーション情報１０８に従ってそれのＮＦＣアンテナ１２０ａを同調させ得る。これは、図１に関して説明されたように達成され得る。
【００８０】
[0090]リーダーデバイス４０４は、４１１において、ワイヤレス通信デバイス４０２が、４０９において、非規格化メッセージ１２６中に含まれる地理的ロケーション情報１０８に従ってそれのＮＦＣアンテナ１２０ａを同調させることを可能にするのに十分な時間期間（たとえば、リセット期間１２４）の間、磁界をオフにし得る。リセット期間１２４の後に、リーダーデバイス４０４は、４１３において、磁界をオンにし得る。
【００８１】
[0091]磁界をオンにすると、リーダーデバイス４０４は、４１５において、ワイヤレス通信デバイス４０２に第２のポールコマンドを送り得る。ワイヤレス通信デバイス４０２は、４１７において、リーダーデバイス４０４にポール応答を送り得る。ワイヤレス通信デバイス１０２は、次に、調整されたＮＦＣアンテナ１２０ａ同調を使用して第２のポールコマンドに応答し得ることに留意されたい。ポール応答を受信すると、リーダーデバイス４０４およびワイヤレス通信デバイス４０２は、４１９において、ＮＦＣトランザクションを実施するためにＮＦＣリンクを確立し得る。
【００８２】
[0092]図５は、地理的ロケーションベース同調のための非規格化メッセージ５２６と非規格化応答５２８との例を示すブロック図である。非規格化メッセージ５２６は、図１に関して上記で説明されたように、リーダーデバイス１０４（たとえば、イニシエータデバイス）によって送られ得る。非規格化メッセージ５２６は、地理的ロケーションベース情報を介してＮＦＣ通信拡張のために予約されたバイトを含む非規格化パケット（たとえば、プロプライエタリパケット）であり得る。
【００８３】
[0093]この例では、非規格化メッセージ５２６は６バイトである。非規格化メッセージ５２６は、リーダーデバイス１０４からの非規格化パケットとしてパケットを識別するコマンドコードバイト（たとえば、バイト０）を含み得る。１つまたは複数のバイトは地理的ロケーション情報１０８を含み得る。この例では、バイト１〜４は地理的ロケーション情報１０８を含む。さらに、１つまたは複数のバイトは、識別されたＮＦＣ技術についての巡回冗長検査（ＣＲＣ）情報のために使用され得る。この例では、バイト５〜６は、ＮＦＣタイプ−Ａ、ＢまたはＦに従ってＣＲＣのために使用される。
【００８４】
[0094]非規格化応答５２８は、図１に関して上記で説明されたように、ワイヤレス通信デバイス１０２（たとえば、ターゲットデバイス）によって送られ得る。非規格化応答５２８は、地理的ロケーション情報１０８を介してＮＦＣ通信拡張のために予約されたバイトを含む非規格化パケット（たとえば、プロプライエタリパケット）であり得る。
【００８５】
[0095]この例では、非規格化応答５２８は６バイトである。非規格化応答５２８は、ワイヤレス通信デバイス１０２からの非規格化パケットとしてパケットを識別するコマンドコードバイト（たとえば、バイト０）を含み得る。１つまたは複数のバイトは肯定応答（ＡＣＫ）応答を含み得る。ＡＣＫ応答は所定のフォーマットを有し得る。この例では、バイト１〜４はＡＣＫ応答を含む。さらに、１つまたは複数のバイトは、識別されたＮＦＣ技術についての巡回冗長検査（ＣＲＣ）情報のために使用され得る。この例では、バイト５〜６は、ＮＦＣタイプ−Ａ、ＢまたはＦに従ってＣＲＣのために使用される。
【００８６】
[0096]図６は、非規格化メッセージ１２６中に含まれる地理的ロケーション情報１０８に基づくニアフィールド通信（ＮＦＣ）アンテナ１２０ａの同調のための方法６００を示す流れ図である。方法６００はリーダーデバイス１０４によって実施され得る。リーダーデバイス１０４はＮＦＣ回路で構成され得る。
【００８７】
[0097]リーダーデバイス１０４は、６０２において、地理的ロケーション情報１０８を含む非規格化メッセージ１２６をワイヤレス通信デバイス１０２に送る。たとえば、ワイヤレス通信デバイス１０２がリーダーデバイス１０４の磁界に入ったとき、リーダーデバイス１０４はＮＦＣポーリングプロシージャを開始し得る。リーダーデバイス１０４からポールコマンドを受信したことに応答して、ワイヤレス通信デバイス１０２はポール応答を送り得る。ポール応答を受信すると、リーダーデバイス１０４は、６０２において、地理的ロケーション情報１０８を含む非規格化メッセージ１２６を送る。非規格化メッセージ１２６は、図５に関して説明されたようにフォーマットされ得る。
【００８８】
[0098]一実装形態では、非規格化メッセージ１２６はリーダーデバイス１０４のロケーション座標を含み得る。別の実装形態では、非規格化メッセージ１２６は、地理的ロケーション情報１０８が決定され得る、リーダーデバイス１０４に関連付けられた一意のシグネチャを含み得る。
【００８９】
[0099]リーダーデバイス１０４は、６０４において、ワイヤレス通信デバイス１０２が非規格化メッセージ１２６に基づいてＮＦＣのためのアンテナ１２０ａを同調させることをサポートするかどうかを決定する。ワイヤレス通信デバイス１０２が非規格化メッセージ１２６同調をサポートする場合、リーダーデバイス１０４は、ワイヤレス通信デバイス１０２から有効な非規格化応答１２８を受信し得る。しかしながら、ワイヤレス通信デバイス１０２が非規格化データ交換をサポートしない場合、リーダーデバイス１０４は、非規格化応答１２８を待つことをタイムアウトし得る。
【００９０】
[00100]リーダーデバイス１０４は、６０６において、時間期間の間磁界をオフにする。リーダーデバイス１０４は、調整された同調を使用する通信のためにワイヤレス通信デバイス１０２をリセットするために、それの磁界をオフにし、もう一度オンにし得る。リーダーデバイス１０４は、６０６において、リセット期間１２４の間磁界をオフにする。リセット期間１２４は、ワイヤレス通信デバイス１０２が、非規格化メッセージ１２６中に含まれる地理的ロケーション情報１０８に従ってそれのＮＦＣアンテナ１２０ａを同調させることを可能にするのに十分な時間量であり得る。時間期間の後に、リーダーデバイス１０４は、６０８において、磁界をオンにする。
【００９１】
[00101]リーダーデバイス１０４は、６１０において、ワイヤレス通信デバイス１０２とのＮＦＣリンクを確立する。たとえば、ワイヤレス通信デバイス１０２が非規格化メッセージ１２６同調をサポートする場合、リーダーデバイス１０４は、６１０において、有効な非規格化応答１２８を受信すると、ワイヤレス通信デバイス１０２とのＮＦＣリンクを確立し得る。代替的に、ワイヤレス通信デバイス１０２が非規格化データ交換をサポートしない場合、リーダーデバイス１０４は、６１０において、タイムアウトの後にＮＦＣリンクを確立し得る。
【００９２】
[00102]図７は、非規格化メッセージ１２６中に含まれる地理的ロケーション情報１０８に基づくＮＦＣアンテナ１２０ａの同調のための別の方法７００を示す流れ図である。方法７００はワイヤレス通信デバイス１０２によって実施され得る。ワイヤレス通信デバイス１０２はＮＦＣ回路で構成され得る。ＮＦＣ回路は、ＮＦＣコントローラおよびＮＦＣアンテナ回路（たとえば、ＮＦＣアンテナ１２０ａおよび整合ネットワーク１１８）を含み得る。
【００９３】
[00103]ワイヤレス通信デバイス１０２は、７０２において、リーダーデバイス１０４から、地理的ロケーション情報１０８を含む非規格化メッセージ１２６を受信し得る。たとえば、ワイヤレス通信デバイス１０２がリーダーデバイス１０４の磁界に入ったとき、リーダーデバイス１０４はＮＦＣポーリングプロシージャを開始し得る。リーダーデバイス１０４からポールコマンドを受信したことに応答して、ワイヤレス通信デバイス１０２はポール応答を送り得る。ポール応答を受信すると、リーダーデバイス１０４は、地理的ロケーション情報１０８を含む非規格化メッセージ１２６を送り得る。
【００９４】
[00104]リーダーデバイス１０４は、７０４において、地理的ロケーションベースアンテナ同調のサポートを示す非規格化応答１２８を送る。非規格化応答１２８は、図５に関して説明されたようにフォーマットされ得る。
【００９５】
[00105]ワイヤレス通信デバイス１０２は、７０６において、地理的ロケーション情報１０８と対応する同調パラメータ値について地理的ロケーション同調データベース１１４を照会する。地理的ロケーション同調データベース１１４は、特定の領域中で適用され得るＮＦＣ同調パラメータ１１６についての値を与え得る。
【００９６】
[00106]ワイヤレス通信デバイス１０２は、７０８において、地理的ロケーション同調データベース１１４照会に基づいて、変更すべき１つまたは複数の同調パラメータ１１６を決定する。たとえば、地理的ロケーション同調データベース１１４は、入力された地理的ロケーション情報１０８に基づいて、変更され得る１つまたは複数のＮＦＣ同調パラメータ１１６を出力し得る。
【００９７】
[00107]ワイヤレス通信デバイス１０２は、７１０において、決定されたＮＦＣ同調パラメータ１１６に従ってＮＦＣアンテナ１２０ａを調整し得る。ＮＦＣアンテナ１２０ａ同調は、整合ネットワーク１１８の共振を変更することによって実施され得る。これは、整合ネットワーク１１８の１つまたは複数の構成要素を調整することによって達成され得る。
【００９８】
[00108]ワイヤレス通信デバイス１０２は、７１２において、調整されたアンテナ同調を使用してリーダーデバイス１０４とのＮＦＣリンクを確立する。たとえば、ワイヤレス通信デバイス１０２は、調整されたアンテナ同調を使用してリーダーデバイス１０４とともに第２のポーリング動作を実施し得る。ワイヤレス通信デバイス１０２およびリーダーデバイス１０４は、次いで、７１２において、ＮＦＣトランザクションを実施する（perform）ためにＮＦＣリンクを確立し得る。
【００９９】
[00109]図８は、ＮＦＣシステム８００を示すブロック図である。ＮＦＣシステム８００は、複数のＮＦＣタグ８５０Ａ〜８５０Ｄと、複数のＮＦＣリーダー８５２Ａ〜８５２Ｃと、アプリケーションサーバ８５６とを含む。
【０１００】
[00110]ＮＦＣタグ８５０Ａ〜８５０Ｄはそれぞれ、限定はしないが、トラッキングインベントリ、トラッキングステータス、ロケーション決定およびアセンブリ進行を含む様々な目的のための特定の対象に関連付けられ得る。ＮＦＣタグ８５０Ａ〜８５０Ｄは、内部電源を含む能動デバイス、またはＮＦＣリーダー８５２Ａ〜８５２Ｃから電力を導出する受動デバイスであり得る。
【０１０１】
[00111]図８は、４つのＮＦＣタグ８５０Ａ〜８５０Ｄおよび３つのＮＦＣリーダー８５２Ａ〜８５２Ｃのみを示しているが、本開示はそれに限定されない。一構成では、ＮＦＣタグ８５０Ａ〜８５０Ｄは、図１に関して説明されたワイヤレス通信デバイス１０２に従って実装され得る。一構成では、リーダー８５２Ａ〜８５２Ｃは、図１に関して説明されたリーダーデバイス１０４に従って実装され得る。
【０１０２】
[00112]各ＮＦＣリーダー８５２Ａ〜８５２Ｃは、それのカバレージエリア内の１つまたは複数のＮＦＣタグ８５０Ａ〜８５０Ｄとデータをワイヤレス通信する。たとえば、ＮＦＣタグ８５０Ａおよび８５０ＢはＮＦＣリーダー８５２Ａのカバレージエリア内にあり得、ＮＦＣタグ８５０Ｂおよび８５０ＣはＮＦＣリーダー８５２Ｂのカバレージエリア内にあり得、ＮＦＣタグ８５０Ｃおよび８５０ＤはＮＦＣリーダー８５２Ｃのカバレージエリア内にあり得る。一構成では、ＮＦＣリーダー８５２Ａ〜８５２ＣとＮＦＣタグ８５０Ａ〜８５０Ｄとの間のＲＦ通信機構は、後方散乱技法（backscatter technique）である。この構成では、ＮＦＣリーダー８５２Ａ〜８５２Ｃは、ＲＦ信号を介してＮＦＣタグ８５０Ａ〜８５０Ｄにデータを要求し、ＲＦタグ８５０Ａ〜８５０Ｄは、ＮＦＣリーダー８５２Ａ〜８５２Ｃによって与えられたＲＦ信号を変調および後方散乱することによって、要求されたデータで応答する。
【０１０３】
[00113]ニアフィールド通信のための構成では、ＲＦ通信機構はインダクタンス技法であり、それにより、ＮＦＣリーダー８５２Ａ〜８５２Ｃは、ＮＦＣタグ８５０Ａ〜８５０Ｄ上でデータにアクセスするためにＲＦ信号を介してＮＦＣタグ８５０Ａ〜８５０Ｄに磁気的に結合する。この構成のいずれかでは、ＮＦＣタグ８５０Ａ〜８５０Ｄは、ＲＦ信号と同じＲＦキャリア周波数上で、要求されたデータをＮＦＣリーダー８５２Ａ〜８５２Ｃに与える。
【０１０４】
[00114]このようにして、ＮＦＣリーダー８５２Ａ〜８５２Ｃは、それのカバレージエリア内のＮＦＣタグ８５０Ａ〜８５０Ｄの各々からデータを収集する。収集されたデータは、次いで、ワイヤードまたはワイヤレス接続８５４を介して、および／または可能な通信機構、たとえば、ピアツーピア通信接続を介してアプリケーションサーバ８５６に伝達される。追加として、および／または代替として、アプリケーションサーバ８５６は、関連するＮＦＣリーダー８５２Ａ〜８５２Ｃを介してＮＦＣタグ８５０Ａ〜８５０Ｄのうちの１つまたは複数にデータを与え得る。そのようなダウンロードされた情報はアプリケーション依存であり、大幅に変動し得る。ダウンロードされたデータを受信すると、ＮＦＣタグは、データをその中の不揮発性メモリに記憶することができる。
【０１０５】
[00115]別の構成では、ＮＦＣリーダー８５２Ａ〜８５２Ｃは、各ＮＦＣリーダー８５２Ａ〜８５２Ｃが、アプリケーションサーバ８５６への別個のワイヤードまたはワイヤレス接続８５４を必要としないように、ピアツーピアベースでデータを随意に通信し得る。たとえば、ＮＦＣリーダー８５２ＡおよびＮＦＣリーダー８５２Ｂは、後方散乱技法、ＷＬＡＮ技法、および／または他のワイヤレス通信技法を利用して、ピアツーピアベースで通信し得る。この事例では、ＮＦＣリーダー８５２Ｂはアプリケーションサーバ８５６へのワイヤードまたはワイヤレス接続８５４を含まないことがある。ＮＦＣリーダー８５２Ａ〜８５２Ｃとアプリケーションサーバ８５６との間の通信がワイヤードまたはワイヤレス接続８５４を通して伝達される構成では、ワイヤードまたはワイヤレス接続８５４は、複数のワイヤード規格（たとえば、イーサネット（登録商標）およびファイアワイヤ（fire wire））および／またはワイヤレス通信規格（たとえば、ＩＥＥＥ８０２．１１ｘおよびＢｌｕｅｔｏｏｔｈ（登録商標））のうちのいずれか１つを利用し得る。
【０１０６】
[00116]当業者は諒解するように、図８のＮＦＣシステムは、ＮＦＣタグ８５０Ａ〜８５０Ｄが、機器、インベントリおよび／または人員に関連付けられ得る所望のロケーション（たとえば、建築物またはオフィスサイト）全体にわたって分散される多数のＮＦＣリーダー８５２Ａ〜８５２Ｃを含むように拡大され得る。さらに、アプリケーションサーバ８５６が、ワイドエリアネットワークカバレージを与えるために別のサーバおよび／またはネットワーク接続に結合され得ることに留意されたい。
【０１０７】
[00117]図９は、トランシーバとリモートユニットとを含むＮＦＣシステム９００の例示的な概略図を示すブロック図である。ＮＦＣシステム９００は、ＮＦＣトランシーバ９６０と、ＮＦＣタグなどのリモートユニット９７２とを含む。ＮＦＣトランシーバ９６０は、電圧電源９６６と、ＮＦＣトランシーバ制御回路９６８と、送信機回路９６４とを含み得る。ＮＦＣトランシーバ制御回路９６８は電圧源９６６によって電力供給され、１つまたは複数のトランシーバループ９６２に接続される。
【０１０８】
[00118]トランシーバループ９６２は、以下で、コイルまたはループアンテナと互換的に使用される。コイルおよびループアンテナは、交流（ＡＣ）９７０が流れることができる導電性材料、たとえば、電磁コイルから製造され得る。トランシーバループ９６２は、円形、楕円形などであり得るが、他のサイズおよび形状が考えられる。
【０１０９】
[00119]ニアフィールド通信の場合、トランシーバループ９６２を通して流れるＡＣ電流９７０は、様々な周波数（たとえば、約１００ｋＨｚ〜約４０ＭＨｚ）において、磁気エネルギーまたは磁束９８０を送信することを生じることがある。ニアフィールドの場合、放出された周波数の波長は、ＮＦＣトランシーバ９６０上のループ９６２のサイズよりもはるかに長くなり得る。
【０１１０】
[00120]リモートユニット９７２は、受信機回路９７４とリモートユニット制御回路９７６とを含む。リモートユニット９７２がＮＦＣトランシーバ９６０に十分に近い場合、トランシーバ９６０からの磁束９８０により、導電性材料の１つまたは複数のリモートユニットループ９７８上にＡＣ結合され得、それは、電磁コイルとリモートユニット制御回路９７６とを有する電力供給されない（すなわち、バッテリー、または連続電力を印加する他の手段がない）デバイスであり得る。
【０１１１】
[00121]リモートユニット制御回路９７６中を交流方向に流れる発振ＡＣ電流９８２は、リモートユニット制御回路９７６中の整流ダイオードによって整流され得、それにより、リモートユニット制御回路９７６中のバイパスキャパシタにわたって電圧を蓄積させることができる。バイパスキャパシタが十分な電圧を蓄積した後（Once）、リモートユニット制御回路９７６は電源投入され、動作可能になることができる。ＮＦＣトランシーバ９６０から結合および変調されたＡＣ信号を受信することによって、リモートユニット９７２は、ＮＦＣトランシーバ９６０から情報（たとえば、コマンド）を受信および検出することができる。
【０１１２】
[00122]動作可能になると、リモートユニット制御回路９７６はまた、リモートユニットループ９７８によって見られる（seen）インピーダンスを変更することによって、ＮＦＣトランシーバ９６０に信号を返送し得る。これは、たとえば、スイッチを用いてリモートユニットループ９７８を短絡するかまたは開くことによって達成され得る。リモートユニット９７２がＮＦＣトランシーバ９６０に十分に近い場合、リモートユニット９７２中のリモートユニットループ９７８によって生成された、変調された電磁界は、ＮＦＣトランシーバ９６０のトランシーバループ９６２上に結合され（coupled back）得る。ＮＦＣトランシーバ９６０に返送される信号は、遅く、データの１００ビット程度であり、リモートユニット９７２がアタッチされるデバイスの通し番号またはモデル番号、クレジットカード番号、個人識別情報、セキュリティコードおよびパスワードなどの情報をトランシーバ９６０に与えることができる。
【０１１３】
[00123]図１０は、ワイヤレス通信デバイス１００２内に含まれ得るいくつかの構成要素を示す。ワイヤレス通信デバイス１００２は、ワイヤレスデバイス、アクセス端末、移動局、ユーザ機器（ＵＥ）、ラップトップコンピュータ、デスクトップコンピュータなどであり得る。たとえば、図１０のワイヤレス通信デバイス１００２は、図１のワイヤレス通信デバイス１０２に従って実装され得る。
【０１１４】
[00124]ワイヤレス通信デバイス１００２はプロセッサ１００３を含む。プロセッサ１００３は、汎用（general purpose）シングルまたはマルチチップマイクロプロセッサ（たとえば、高度ＲＩＳＣ（縮小命令セットコンピュータ）マシン（ＡＲＭ））、専用マイクロプロセッサ（たとえば、デジタル信号プロセッサ（ＤＳＰ））、マイクロコントローラ、プログラマブルゲートアレイなどであり得る。プロセッサ１００３は中央処理ユニット（ＣＰＵ）と呼ばれることがある。図１０のワイヤレス通信デバイス１００２中に単一のプロセッサ１００３のみが示されているが、代替構成では、プロセッサの組合せ（たとえば、ＡＲＭとＤＳＰ）が使用され得る。
【０１１５】
[00125]ワイヤレス通信デバイス１００２はまた、プロセッサ１００３と電子通信しているメモリ１００５を含む（すなわち、プロセッサは、メモリから情報を読み取り、および／またはメモリに情報を書き込むことができる）。メモリ１００５は、電子情報を記憶することが可能な任意の電子的構成要素であり得る。メモリ１００５は、ランダムアクセスメモリ（ＲＡＭ）、読取り専用メモリ（ＲＯＭ）、磁気ディスク記憶媒体、光記憶媒体、ＲＡＭ中のフラッシュメモリデバイス、プロセッサに含まれるオンボードメモリ、ＥＰＲＯＭメモリ、ＥＥＰＲＯＭ（登録商標）メモリ、レジスタなど、およびそれらの組合せとして構成され得る。
【０１１６】
[00126]データ１００７ａおよび命令１００９ａがメモリ１００５に記憶され得る。命令１００９ａは、１つまたは複数のプログラム、ルーチン、サブルーチン、関数、プロシージャ、コードなどを含み得る。命令１００９ａは、単一のコンピュータ可読ステートメントまたは多くのコンピュータ可読ステートメントを含み得る。命令１００９ａは、本明細書で開示される方法を実装するようにプロセッサ１００３によって実行可能であり得る。命令１００９ａを実行することは、メモリ１００５に記憶されたデータ１００７ａの使用を伴い得る。プロセッサ１００３が命令１００９ａを実行すると、命令１００９ｂの様々な部分がプロセッサ１００３上にロードされ得、様々ないくつかのデータ１００７ｂがプロセッサ１００３上にロードされ得る。
【０１１７】
[00127]ワイヤレス通信デバイス１００２はまた、アンテナ１０２０を介したワイヤレス通信デバイス１００２との間での信号の送信および受信を可能にするために、送信機１０１１と受信機１０１３とを含み得る。送信機１０１１および受信機１０１３は、トランシーバ１０１５と総称されることがある。ワイヤレス通信デバイス１００２はまた、複数の送信機、複数のアンテナ、複数の受信機および／または複数のトランシーバを含み得る（図示せず）。
【０１１８】
[00128]ワイヤレス通信デバイス１００２はデジタル信号プロセッサ（ＤＳＰ）１０２１を含み得る。ワイヤレス通信デバイス１００２はまた、通信インターフェース１０２３を含み得る。通信インターフェース１０２３は、ユーザがワイヤレス通信デバイス１００２と対話することを可能にし得る。
【０１１９】
[00129]ワイヤレス通信デバイス１００２の様々な構成要素は、電力バス、制御信号バス、ステータス信号バス、データバスなどを含み得る、１つまたは複数のバスによって互いに結合され得る。明快のために、図１０では様々なバスはバスシステム１０１９として示されている。
【０１２０】
[00130]図１１は、リーダーデバイス１１０４内に含まれ得るいくつかの構成要素を示す。リーダーデバイス１１０４は、ワイヤレスデバイス、アクセス端末、移動局、ユーザ機器（ＵＥ）、ラップトップコンピュータ、デスクトップコンピュータなどであり得る。たとえば、図１１のリーダーデバイス１１０４は、図１のリーダーデバイス１０４に従って実装され得る。
【０１２１】
[00131]リーダーデバイス１１０４はプロセッサ１１０３を含む。プロセッサ１１０３は、汎用シングルまたはマルチチップマイクロプロセッサ（たとえば、高度ＲＩＳＣ（縮小命令セットコンピュータ）マシン（ＡＲＭ））、専用マイクロプロセッサ（たとえば、デジタル信号プロセッサ（ＤＳＰ））、マイクロコントローラ、プログラマブルゲートアレイなどであり得る。プロセッサ１１０３は中央処理ユニット（ＣＰＵ）と呼ばれることがある。図１１のリーダーデバイス１１０４には単一のプロセッサ１１０３のみが示されているが、代替構成では、プロセッサの組合せ（たとえば、ＡＲＭとＤＳＰ）が使用され得る。
【０１２２】
[00132]リーダーデバイス１１０４はまた、プロセッサ１１０３と電子通信しているメモリ１１０５を含む（すなわち、プロセッサは、メモリから情報を読み取り、および／またはメモリに情報を書き込むことができる）。メモリ１１０５は、電子情報を記憶することが可能な任意の電子的構成要素であり得る。メモリ１１０５は、ランダムアクセスメモリ（ＲＡＭ）、読取り専用メモリ（ＲＯＭ）、磁気ディスク記憶媒体、光記憶媒体、ＲＡＭ中のフラッシュメモリデバイス、プロセッサに含まれるオンボードメモリ、ＥＰＲＯＭメモリ、ＥＥＰＲＯＭメモリ、レジスタなど、およびそれらの組合せとして構成され得る。
【０１２３】
[00133]データ１１０７ａおよび命令１１０９ａがメモリ１１０５に記憶され得る。命令１１０９ａは、１つまたは複数のプログラム、ルーチン、サブルーチン、関数、プロシージャ、コードなどを含み得る。命令１１０９ａは、単一のコンピュータ可読ステートメントまたは多くのコンピュータ可読ステートメントを含み得る。命令１１０９ａは、本明細書で開示される方法を実装するようにプロセッサ１１０３によって実行可能であり得る。命令１１０９ａを実行することは、メモリ１１０５に記憶されたデータ１１０７ａの使用を伴い得る。プロセッサ１１０３が命令１１０９ａを実行すると、命令１１０９ｂの様々な部分がプロセッサ１１０３上にロードされ得、様々ないくつかのデータ１１０７ｂがプロセッサ１１０３上にロードされ得る。
【０１２４】
[00134]リーダーデバイス１１０４はまた、アンテナ１１２０を介したリーダーデバイス１１０４との間での信号の送信および受信を可能にするために、送信機１１１１と受信機１１１３とを含み得る。送信機１１１１および受信機１１１３は、トランシーバ１１１５と総称されることがある。リーダーデバイス１１０４はまた、複数の送信機、複数のアンテナ、複数の受信機および／または複数のトランシーバを含み得る（図示せず）。
【０１２５】
[00135]リーダーデバイス１１０４はデジタル信号プロセッサ（ＤＳＰ）１１２１を含み得る。リーダーデバイス１１０４はまた、通信インターフェース１１２３を含み得る。通信インターフェース１１２３は、ユーザがリーダーデバイス１１０４と対話することを可能にし得る。
【０１２６】
[00136]リーダーデバイス１１０４の様々な構成要素は、電力バス、制御信号バス、ステータス信号バス、データバスなどを含み得る、１つまたは複数のバスによって互いに結合され得る。明快のために、図１１では様々なバスはバスシステム１１１９として示されている。
【０１２７】
[00137]「決定すること」という用語は多種多様なアクションを包含し、したがって、「決定すること」は、計算すること（calculating）、算出すること（computing）、処理すること、導出すること、調査すること、ルックアップすること（たとえば、テーブル、データベースまたは別のデータ構造においてルックアップすること）、確認することなどを含むことができる。また、「決定すること」は、受信すること（たとえば、情報を受信すること）、アクセスすること（たとえば、メモリ中のデータにアクセスすること）などを含むことができる。また、「決定すること」は、解決すること、選択すること、選定すること、確立することなどを含むことができる。
【０１２８】
[00138]「に基づいて」という句は、別段に明示されていない限り、「のみに基づいて」を意味しない。言い換えれば、「に基づいて」という句は、「のみに基づいて」と「に少なくとも基づいて」の両方を表す。
【０１２９】
[00139]「プロセッサ」という用語は、汎用プロセッサ、中央処理ユニット（ＣＰＵ）、マイクロプロセッサ、デジタル信号プロセッサ（ＤＳＰ）、コントローラ、マイクロコントローラ、状態機械などを包含するものと広く解釈されたい。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指すことがある。「プロセッサ」という用語は、処理デバイスの組合せ、たとえば、デジタル信号プロセッサ（ＤＳＰ）とマイクロプロセッサとの組合せ、複数のマイクロプロセッサ、デジタル信号プロセッサ（ＤＳＰ）コアと連携する１つまたは複数のマイクロプロセッサ、あるいは他のそのような構成を指すことがある。
【０１３０】
[00140]「メモリ」という用語は、電子情報を記憶することが可能な任意の電子的構成要素を包含するものと広く解釈されたい。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気消去可能ＰＲＯＭ（ＥＥＰＲＯＭ）、フラッシュメモリ、磁気または光学データストレージ、レジスタなど、様々なタイプのプロセッサ可読媒体を指すことがある。プロセッサがメモリから情報を読み取り、および／または情報をメモリに書き込むことができる場合、メモリはプロセッサと電子通信していると言われる。プロセッサに一体化されたメモリは、プロセッサと電子通信している。
【０１３１】
[00141]「命令」および「コード」という用語は、任意のタイプの（１つまたは複数の）コンピュータ可読ステートメントを含むものと広く解釈されたい。たとえば、「命令」および「コード」という用語は、１つまたは複数のプログラム、ルーチン、サブルーチン、関数、プロシージャなどを指すことがある。「命令」および「コード」は、単一のコンピュータ可読ステートメントまたは多くのコンピュータ可読ステートメントを備え得る。
【０１３２】
[00142]本明細書で説明された機能は、ハードウェアによって実行されるソフトウェアまたはファームウェアで実装され得る。機能は、１つまたは複数の命令としてコンピュータ可読媒体上に記憶され得る。「コンピュータ可読媒体」または「コンピュータプログラム製品」という用語は、コンピュータまたはプロセッサによってアクセスされ得る任意の有形記憶媒体を指す。限定ではなく例として、コンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を含み得る。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。コンピュータ可読媒体は有形で非一時的であり得ることに留意されたい。「コンピュータプログラム製品」という用語は、コンピューティングデバイスまたはプロセッサによって実行、処理または算出され得るコードまたは命令（たとえば、「プログラム」）と組み合わせたコンピューティングデバイスまたはプロセッサを指す。本明細書で使用される「コード」という用語は、コンピューティングデバイスまたはプロセッサによって実行可能であるソフトウェア、命令、コードまたはデータを指すことがある。
【０１３３】
[00143]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、送信媒体の定義に含まれる。
【０１３４】
[00144]本明細書で開示された方法は、説明された方法を達成するための１つまたは複数のステップまたはアクションを備える。本方法のステップおよび／またはアクションは、特許請求の範囲から逸脱することなく互いに交換され得る。言い換えれば、説明された方法の適切な動作のためにステップまたはアクションの特定の順序が必要とされない限り、特定のステップおよび／またはアクションの順序および／または使用は、特許請求の範囲を逸脱することなく修正され得る。
【０１３５】
[00145]さらに、図２、図３、図６および図７によって示されたものなど、本明細書で説明された方法および技法を実施するためのモジュールおよび／または他の適切な手段は、デバイスによってダウンロードおよび／または他の方法で取得され得ることを諒解されたい。たとえば、デバイスは、本明細書で説明された方法を実施するための手段の転送を可能にするために、サーバに結合され得る。代替的に、本明細書で説明された様々な方法は、デバイスが、記憶手段をそのデバイスに結合するかまたは与えると様々な方法を取得し得るように、記憶手段（たとえば、ランダムアクセスメモリ（ＲＡＭ）、読取り専用メモリ（ＲＯＭ）、コンパクトディスク（ＣＤ）またはフロッピーディスクなどの物理記憶媒体など）によって与えられ得る。その上、本明細書で説明された方法および技法をデバイスに与えるための任意の他の好適な技法が利用され得る。
【０１３６】
[00146]特許請求の範囲は、上記で示された厳密な構成および構成要素に限定されないことを理解されたい。特許請求の範囲から逸脱することなく、本明細書で説明されたシステム、方法、および装置の構成、動作および詳細において、様々な修正、変更、および変形が行われ得る。
以下に本願の出願当初の特許請求の範囲に記載された発明を付記する。
［Ｃ１］
ワイヤレス通信デバイスによるワイヤレス通信のための方法であって、
地理的ロケーション情報を受信することと、
前記地理的ロケーション情報と対応する同調パラメータ値について地理的ロケーション同調データベースを照会することと、
前記同調パラメータ値に基づいて、変更すべき１つまたは複数の同調パラメータを決定することと、
前記決定された同調パラメータに従ってリーダーデバイスとの誘導結合通信のためにアンテナを調整することとを備える、方法。
［Ｃ２］
前記地理的ロケーション情報が、全地球測位システム（ＧＰＳ）信号、ワイヤレスワイドエリアネットワーク（ＷＷＡＮ）信号、またはワイヤレスローカルエリアネットワーク（ＷＬＡＮ）信号のうちの少なくとも１つ中で受信される、Ｃ１に記載の方法。
［Ｃ３］
前記地理的ロケーション情報が、前記リーダーデバイスによって送られた非規格化メッセージ中で受信される、Ｃ１に記載の方法。
［Ｃ４］
前記非規格化メッセージが前記リーダーデバイスの地理的ロケーション座標を含む、Ｃ３に記載の方法。
［Ｃ５］
前記非規格化メッセージは、前記リーダーデバイスの前記地理的ロケーション情報が決定される、前記リーダーデバイスに関連付けられた一意のシグネチャを含む、Ｃ３に記載の方法。
［Ｃ６］
前記非規格化メッセージが、前記リーダーデバイスにポール応答を送ったことに応答して受信され、ここにおいて、前記非規格化メッセージが、前記ポール応答によって識別されるニアフィールド通信（ＮＦＣ）技術を使用して送られる、Ｃ３に記載の方法。
［Ｃ７］
前記非規格化メッセージが、前記リーダーデバイスからの非規格化パケットとしてパケットを識別するコマンドコードバイトと、前記地理的ロケーション情報を含む１つまたは複数のバイトと、前記識別されたＮＦＣ技術についての巡回冗長検査情報をもつ１つまたは複数のバイトとを含む前記パケットを備える、Ｃ６に記載の方法。
［Ｃ８］
前記地理的ロケーション情報に基づくアンテナ同調のサポートを示す非規格化応答を前記リーダーデバイスに送ることをさらに備える、Ｃ３に記載の方法。
［Ｃ９］
前記非規格化応答が、前記ワイヤレス通信デバイスからの非規格化パケットとしてパケットを識別するコマンドコードバイトと、肯定応答（ＡＣＫ）応答を含む１つまたは複数のバイトと、前記識別されたＮＦＣ技術についての巡回冗長検査情報をもつ１つまたは複数のバイトとを含む前記パケットを備える、Ｃ８に記載の方法。
［Ｃ１０］
前記地理的ロケーション情報が、ＧＰＳ信号と非規格化メッセージとの組合せを介して受信され、ここにおいて、前記ＧＰＳ信号が、前記地理的ロケーション情報を取得するためにデフォルトで使用され、前記非規格化メッセージは、前記ＧＰＳ信号が利用可能でない場合に前記地理的ロケーション情報を取得するために使用される、Ｃ１に記載の方法。
［Ｃ１１］
プロセッサと、
前記プロセッサと通信しているメモリと、
前記メモリに記憶された命令と
を備え、前記命令が、
地理的ロケーション情報を受信することと、
前記地理的ロケーション情報と対応する同調パラメータ値について地理的ロケーション同調データベースを照会することと、
前記同調パラメータ値に基づいて、変更すべき１つまたは複数の同調パラメータを決定することと、
前記決定された同調パラメータに従ってリーダーデバイスとの誘導結合通信のためにアンテナを調整することとを行うために前記プロセッサによって実行可能である、ワイヤレス通信デバイス。
［Ｃ１２］
前記地理的ロケーション情報が、全地球測位システム（ＧＰＳ）信号、ワイヤレスワイドエリアネットワーク（ＷＷＡＮ）信号、またはワイヤレスローカルエリアネットワーク（ＷＬＡＮ）信号のうちの少なくとも１つ中で受信される、Ｃ１１に記載のワイヤレス通信デバイス。
［Ｃ１３］
前記地理的ロケーション情報が、前記リーダーデバイスによって送られた非規格化メッセージ中で受信される、Ｃ１１に記載のワイヤレス通信デバイス。
［Ｃ１４］
前記非規格化メッセージが前記リーダーデバイスの地理的ロケーション座標を含む、Ｃ１３に記載のワイヤレス通信デバイス。
［Ｃ１５］
前記非規格化メッセージは、前記リーダーデバイスの前記地理的ロケーション情報が決定される、前記リーダーデバイスに関連付けられた一意のシグネチャを含む、Ｃ１３に記載のワイヤレス通信デバイス。
［Ｃ１６］
前記非規格化メッセージが、前記リーダーデバイスにポール応答を送ったことに応答して受信され、ここにおいて、前記非規格化メッセージが、前記ポール応答によって識別されるニアフィールド通信（ＮＦＣ）技術を使用して送られる、Ｃ１３に記載のワイヤレス通信デバイス。
［Ｃ１７］
前記非規格化メッセージが、前記リーダーデバイスからの非規格化パケットとしてパケットを識別するコマンドコードバイトと、前記地理的ロケーション情報を含む１つまたは複数のバイトと、前記識別されたＮＦＣ技術についての巡回冗長検査情報をもつ１つまたは複数のバイトとを含む前記パケットを備える、Ｃ１６に記載のワイヤレス通信デバイス。
［Ｃ１８］
前記地理的ロケーション情報に基づくアンテナ同調のサポートを示す非規格化応答を前記リーダーデバイスに送るために実行可能な命令をさらに備える、Ｃ１３に記載のワイヤレス通信デバイス。
［Ｃ１９］
前記非規格化応答が、前記ワイヤレス通信デバイスからの非規格化パケットとしてパケットを識別するコマンドコードバイトと、肯定応答（ＡＣＫ）応答を含む１つまたは複数のバイトと、前記識別されたＮＦＣ技術についての巡回冗長検査情報をもつ１つまたは複数のバイトとを含む前記パケットを備える、Ｃ１８に記載のワイヤレス通信デバイス。
［Ｃ２０］
前記地理的ロケーション情報が、ＧＰＳ信号と非規格化メッセージとの組合せを介して受信され、ここにおいて、前記ＧＰＳ信号が、前記地理的ロケーション情報を取得するためにデフォルトで使用され、前記非規格化メッセージは、前記ＧＰＳ信号が利用可能でない場合に前記地理的ロケーション情報を取得するために使用される、Ｃ１１に記載のワイヤレス通信デバイス。
［Ｃ２１］
リーダーデバイスによるワイヤレス通信のための方法であって、
ワイヤレス通信デバイスに地理的ロケーション情報を含む非規格化メッセージを送ることと、
前記非規格化メッセージに基づいて、前記ワイヤレス通信デバイスが誘導結合通信のためにアンテナを同調させることをサポートするかどうかを決定することと
を備える、方法。
［Ｃ２２］
前記非規格化メッセージが前記リーダーデバイスの地理的ロケーション座標を含む、Ｃ２１に記載の方法。
［Ｃ２３］
前記非規格化メッセージは、前記リーダーデバイスの前記地理的ロケーション情報が決定される、前記リーダーデバイスに関連付けられた一意のシグネチャを含む、Ｃ２１に記載の方法。
［Ｃ２４］
前記非規格化メッセージが、前記ワイヤレス通信デバイスからポール応答を受信したことに応答して送られ、ここにおいて、前記非規格化メッセージが、前記ポール応答によって識別されるＮＦＣ技術を使用して送られる、Ｃ２１に記載の方法。
［Ｃ２５］
前記ワイヤレス通信デバイスが前記非規格化メッセージ中に含まれる前記地理的ロケーション情報に従ってそれのアンテナを同調させることを可能にするのに十分な時間期間の間、前記リーダーデバイスの磁界をオフにすることと、
前記ワイヤレス通信デバイスとのＮＦＣトランザクションを実施するために前記時間期間の後に前記磁界をオンにすることとをさらに備える、Ｃ２１に記載の方法。
［Ｃ２６］
プロセッサと、
前記プロセッサと通信しているメモリと、
前記メモリに記憶された命令と
を備え、前記命令は、
ワイヤレス通信デバイスに地理的ロケーション情報を含む非規格化メッセージを送ることと、
前記非規格化メッセージに基づいて、前記ワイヤレス通信デバイスが誘導結合通信のためにアンテナを同調させることをサポートするかどうかを決定することと
を行うために前記プロセッサによって実行可能である、リーダーデバイス。
［Ｃ２７］
前記非規格化メッセージが前記リーダーデバイスの地理的ロケーション座標を含む、Ｃ２６に記載のリーダーデバイス。
［Ｃ２８］
前記非規格化メッセージは、前記リーダーデバイスの前記地理的ロケーション情報が決定される、前記リーダーデバイスに関連付けられた一意のシグネチャを含む、Ｃ２６に記載のリーダーデバイス。
［Ｃ２９］
前記非規格化メッセージが、前記ワイヤレス通信デバイスからポール応答を受信したことに応答して送られ、ここにおいて、前記非規格化メッセージが、前記ポール応答によって識別されるＮＦＣ技術を使用して送られる、Ｃ２６に記載のリーダーデバイス。
［Ｃ３０］
前記ワイヤレス通信デバイスが前記非規格化メッセージ中に含まれる前記地理的ロケーション情報に従ってそれのアンテナを同調させることを可能にするのに十分な時間期間の間、前記リーダーデバイスの磁界をオフにすることと、
前記ワイヤレス通信デバイスとのＮＦＣトランザクションを実施するために前記時間期間の後に前記磁界をオンにすることとを行うために実行可能な命令をさらに備える、Ｃ２６に記載のリーダーデバイス。
【図１】
0006396608.tif 000002
【図２】
0006396608.tif 000003
【図３】
0006396608.tif 000004
【図４】
0006396608.tif 000005
【図５】
0006396608.tif 000006
【図６】
0006396608.tif 000007
【図７】
0006396608.tif 000008
【図８】
0006396608.tif 000009
【図９】
0006396608.tif 000010
【図１０】
0006396608.tif 000011
【図１１】
0006396608.tif 000012